(57)【特許請求の範囲】
【請求項１】
幅方向における片側略半部に山部、他側略半部に谷部がそれぞれ形成された非対称断面の波形瓦と、矩形の平板形状を有する瓦型太陽電池パネルとを、勾配屋根面上に葺設する屋根葺き構造であって、
前記波形瓦には、流れ方向の水下側から水上側に向かって左側に谷部、右側に山部が形成された「谷山タイプ」の波形瓦と、左側に山部、右側に谷部が形成された「山谷タイプ」の波形瓦との２種類が用意され、
前記「谷山タイプ」の波形瓦、及び前記「山谷タイプ」の波形瓦のいずれも、幅方向における同じ側にアンダーラップ部が張り出し、他側には前記アンダーラップ部に重なるオーバーラップ部が形成されるとともに、水上側縁部には山部を削ぎ落として谷部の上部を埋めた形状の平坦なパネル受部が形成される一方、水下側縁部には底辺が一直線状をなす垂面部が形成されて、
屋根面の一段ごとに、ひとつの段には前記「谷山タイプ」の波形瓦が一定方向に葺き重ねられ、その上段には前記「山谷タイプ」の波形瓦が前記下段の葺き重ね方向と同じ方向に葺き重ねられることにより、波形瓦の山部及び谷部を流れ方向に揃えつつ、各段の葺き重ね部が千鳥となるように波形瓦が葺設されるとともに、
前記波形瓦と少なくとも１枚の前記瓦型太陽電池パネルとが取り合う部位については、瓦型太陽電池パネルの水下側の段に葺設された波形瓦のパネル受部の上に瓦型太陽電池パネルの水下側縁部が葺き重ねられ、瓦型太陽電池パネルの水上側縁部の上に、更にその水上側の段に葺設される波形瓦の垂面部が葺き重ねられたことを特徴とする屋根葺き構造。
【発明の詳細な説明】
【技術分野】
【０００１】
本発明は、勾配屋根面上に、瓦型太陽電池パネルと波形瓦とを一緒に葺き上げる屋根葺き構造に関する。
【背景技術】
【０００２】
近年、屋根に太陽電池パネル（太陽電池モジュール）を設置する建物が増加している。その種の建物のうち、とくに瓦葺きの勾配屋根を有する住宅等にあっては、例えば特許文献１に開示されているように、瓦と同程度の厚さの平板状に形成した瓦型太陽電池パネルを、通常の瓦と一緒に葺き上げる屋根葺き構造がよく採用されている。瓦型太陽電池パネルは一般的に、ガラス製のセルをアルミ型材からなる枠体で囲った構成になっており、その枠体は瓦を横方向に数枚分並べた大きさに形成されている。そして、下段の瓦又は瓦型太陽電池パネルの水上側縁部に、上段の瓦又は瓦型太陽電池パネルの水下側縁部を被せるようにして階段状に葺き上げられる。
【０００３】
この種の屋根葺き構造では、瓦と瓦型太陽電池パネルとの葺き重ね部分の水密性を確保するために、全体が略平坦な形状の平板瓦が用いられている。平板瓦は、工業化住宅用の屋根瓦としても広く利用されている種類の瓦であり、日本工業規格（ＪＩＳ）Ａ５２０８「粘土かわら」（１９９６）には「Ｆ形」という名称で、その基本的形状が規定されている。
【先行技術文献】
【特許文献】
【０００４】
【特許文献１】特開２００２−１３８６３８号公報
【非特許文献】
【０００５】
【非特許文献１】ＪＩＳハンドブック（８）建築Ｉ  材料・設備  ２０１１年版  財団法人日本規格協会発行
【発明の概要】
【発明が解決しようとする課題】
【０００６】
屋根葺き材は、建物の様式や趣味嗜好に応じて選択され、建物の外観意匠を大きく左右する造形要素である。瓦にも様々な形状のものがあるが、例えば屋根面の重厚間を強調したい古典的な様式の建物では、山谷起伏の大きい波形瓦が好まれることが多い。
【０００７】
波形瓦の代表的なものは、前記ＪＩＳにおいて、「Ｊ形」、「Ｓ形」という名称で、その基本的形状が規定されている。「Ｊ形」は、日本の伝統的建築に採用されてきた本瓦（平瓦と丸瓦）を簡略一体化したもので、近世以降、現在まで、日本国内における最も一般的な瓦屋根用の和風桟瓦として普及している。「Ｓ形」は、西洋風建築に採用されてきたスパニッシュ瓦を、Ｊ形と同様に簡略一体化したＳ字状の洋風桟瓦である。これらの波形瓦はいずれも、瓦の幅方向における片側略半部に山部、他側略半部に谷部がそれぞれ形成された左右非対称の断面形状を有している。
【０００８】
ところが、Ｊ形やＳ形のような形状の波形瓦と瓦型太陽電池パネルとを一緒に葺き上げようとしても、山谷起伏を有する波形瓦と平板状の瓦型太陽電池パネルとの葺き重ね部分の水密性を確保するのが難しい。そのため、現状ではもっぱら平板瓦が利用されており、その結果、瓦型太陽電池パネルを葺設する屋根の造形的印象は平坦で単調になりがちである。また、波形瓦は通常、横方向の葺き重ね部（目地）を流れ方向に揃える葺き方（本明細書においては、説明の便宜上、これを「筋葺き」と呼ぶ。）で葺設されるが、一般論としては、葺き重ね部（目地）の位置を一段ごとに瓦幅の半分だけずらす葺き方（本明細書においては、これを「千鳥葺き」と呼ぶ。）のほうが、筋葺きに比べて防水性（排水性）や耐風性の面で有利であるとされている。しかし、大きい山谷起伏が設けられた左右非対称かつ非合同の断面形状を有する波形瓦を千鳥葺きしようとすると、当然ながら山谷起伏の流れ方向における連続性が互い違いにずれてしまう。
【０００９】
本発明は、かかる事情に鑑みてなされたもので、Ｊ形やＳ形のように大きい山谷起伏を有する波形瓦と、平板状の瓦型太陽電池パネルとを、千鳥葺きで一緒に葺き上げることのできる屋根葺き構造を提供するものである。
【課題を解決するための手段】
【００１０】
前述の目的を達成するため、本発明の屋根葺き構造は、幅方向における片側略半部に山部、他側略半部に谷部がそれぞれ形成された非対称断面の波形瓦と、矩形の平板形状を有する瓦型太陽電池パネルとを、勾配屋根面上に葺設する屋根葺き構造であって、前記波形瓦には、流れ方向の水下側から水上側に向かって左側に谷部、右側に山部が形成された「谷山タイプ」の波形瓦と、左側に山部、右側に谷部が形成された「山谷タイプ」の波形瓦との２種類が用意され、前記「谷山タイプ」の波形瓦、及び前記「山谷タイプ」の波形瓦のいずれも、幅方向における同じ側にアンダーラップ部が張り出し、他側には前記アンダーラップ部に重なるオーバーラップ部が形成されるとともに、水上側縁部には山部を削ぎ落として谷部の上部を埋めた形状の平坦なパネル受部が形成される一方、水下側縁部には底辺が一直線状をなす垂面部が形成されて、屋根面の一段ごとに、ひとつの段には前記「谷山タイプ」の波形瓦が一定方向に葺き重ねられ、その上段には前記「山谷タイプ」の波形瓦が前記下段の葺き重ね方向と同じ方向に葺き重ねられることにより、波形瓦の山部及び谷部を流れ方向に揃えつつ、各段の葺き重ね部が千鳥となるように波形瓦が葺設されるとともに、前記波形瓦と少なくとも１枚の前記瓦型太陽電池パネルとが取り合う部位については、瓦型太陽電池パネルの水下側の段に葺設された波形瓦のパネル受部の上に瓦型太陽電池パネルの水下側縁部が葺き重ねられ、瓦型太陽電池パネルの水上側縁部の上に、更にその水上側の段に葺設される波形瓦の垂面部が葺き重ねられる、との構成を採用するものである。
【００１２】
このように、瓦型太陽電池パネルとの葺き重ね部分に葺設される波形瓦の水下側縁部及び水上側縁部に、瓦型太陽電池パネルとの取り合いを考慮した形状的工夫を施すことにより、波形瓦と瓦型太陽電池パネルとの葺き重ね部分の水密性が好適に確保される。
【００１３】
また、この波形瓦は、瓦型太陽電池パネルの水下側及び水上側、さらに瓦型太陽電池パネルとは接しない一般部も含めて、屋根面略全体（棟際や隅谷などの特殊部位を除く）の葺き上げに利用することができる。
【００１４】
さらに、流れ方向の水下側から水上側に向かって左側に谷部、右側に山部が形成された「谷山タイプ」の波形瓦と、左側に山部、右側に谷部が形成された「山谷タイプ」の波形瓦との２種類を用意して、屋根面の一段ごとに、ひとつの段には前記「谷山タイプ」の波形瓦を一定方向に葺き重ね、その上段には前記「山谷タイプ」の波形瓦を前記下段の葺き重ね方向と同じ方向に葺き重ねるという葺き方を採用することにより、波形瓦の断面形状が左右非対称かつ非合同の山谷起伏を有する場合でも、波形瓦の山部及び谷部を流れ方向に揃えつつ、波形瓦と瓦型太陽電池パネルとを千鳥葺きすることが可能になる。
【００１６】
また、この屋根葺き構造は、前記波形瓦の幅方向における同じ側にアンダーラップ部が張り出し、他側には前記アンダーラップ部に重なるオーバーラップ部が形成されているので、横方向の葺き重ね部分も水密性が好適に確保される。
【発明の効果】
【００１７】
本発明の屋根葺き構造は、「谷山タイプ」の波形瓦と「山谷タイプ」の波形瓦との２種類を用意し、屋根面の一段ごとに、どちらか一方の波形瓦を一定方向に葺き重ね、その上段には他方の波形瓦を同じ方向に葺き重ねるという葺き方を採用しているので、波形瓦の断面形状が左右非対称かつ非合同の山谷起伏を有する場合でも、波形瓦の山部及び谷部を流れ方向に揃えながら千鳥葺きすることができる。さらに、瓦型太陽電池パネルとの葺き重ね部分に葺設される波形瓦の水下側縁部及び水上側縁部に、瓦型太陽電池パネルとの取り合いを考慮した形状的工夫を施しているので、波形瓦と瓦型太陽電池パネルとの葺き重ね部分の水密性が好適に確保される。これにより、瓦型太陽電池パネルを平板瓦と一緒に葺き上げていた従来の屋根よりも、波形瓦の山谷起伏を強調した、重厚感や立体感のある屋根を施工することができる。
【図面の簡単な説明】
【００１８】
【図１】本発明の前提となる屋根葺き構造の一例として、波形瓦と瓦型太陽電池パネルを一緒に筋葺きした屋根面の瓦割付け図である。
【図２】前記屋根葺き構造に用いられる３種類の波形瓦の構成を示す斜視図であって、（１）は一般部用瓦、（２）は瓦型太陽電池パネルの水下側に葺設される役物瓦、（３）は瓦型太陽電池パネルの水上側に葺設される役物瓦をそれぞれ示す。
【図３】瓦型太陽電池パネルの水下側に葺設される役物瓦の上面図である。
【図４】前記屋根葺き構造における波形瓦と瓦型太陽電池パネルとの流れ方向の葺き重ね部分（Ａ−Ａ）の概略断面図である。
【図５】前記屋根葺き構造における波形瓦と瓦型太陽電池パネルとの横方向の葺き重ね部分（Ｂ−Ｂ）の概略断面図である。
【図６】本発明の屋根葺き構造に用いられる波形瓦（谷山タイプ）の構成例を示す斜視図である。
【図７】本発明の実施形態に係る屋根葺き構造の一例として、波形瓦と瓦型太陽電池パネルを一緒に千鳥葺きした屋根面の瓦割付け図である。
【図８】図７に示した屋根葺き構造において、図６に示した波形瓦と併用される他の波形瓦（山谷タイプ）の構成を示す斜視図である。
【図９】図７に示した屋根面における横方向の葺き重ね部分（Ｄ−Ｄ）及び（Ｅ−Ｅ）の概略断面図である。
【発明を実施するための形態】
【００１９】
以下、本発明の実施の形態について図を参照して説明する。
【００２０】
図１は、本発明の前提となる屋根葺き構造の一例を示す瓦割付け図であり、図２は、この屋根葺き構造に用いられる波形瓦１の構成を示す斜視図である。
【００２１】
例示形態にあっては、３種類の波形瓦１（１Ａ、１Ｂ、１Ｃ）と、波形瓦１を横方向に４枚分並べた大きさの平坦な瓦型太陽電池パネル２とが、葺き重ね部（目地）の位置を流れ方向（図１における下向き）に揃えて葺設されている。このように、隣り合う屋根葺き材同士の葺き重ね部を流れ方向に揃える葺き方を、本明細書においては説明の便宜上、「筋葺き」と呼ぶ。
【００２２】
例示の波形瓦１（１Ａ、１Ｂ、１Ｃ）は、ＪＩＳのＳ形に準じたもので、流れ方向の水下側から水上側に向かって左側に谷部３、右側に山部４がそれぞれ形成された左右非対称かつ非合同の断面形状を有している。図１では、山谷の並びを分かりやすくするために、各波形瓦の山部４の位置に薄網を付している。（図１では山部４を長方形で表しているが、実際には山部４が上下で重なり合うため、各山部４は水下側に向かってやや拡幅する扇形になる。）
図２の（１）に示した波形瓦１Ａは、瓦型太陽電池パネル２と流れ方向に重ならない一般部、すなわち瓦型太陽電池パネル２の横方向に連なる部位、及び瓦型太陽電池パネル２とは全く接しない部位に葺設される瓦である。この一般部用瓦は、従来一般のＳ形瓦と同様に水下側の端面が湾曲しており、谷部３の水上側縁部には水返し５が立ち上げられ、その近傍に２ヶ所程度の釘孔６が形成されている。
【００２３】
図２の（２）に示した波形瓦１Ｂは、瓦型太陽電池パネル２の水下側に葺設される役物瓦である。この役物瓦の水上側縁部には、瓦の幅方向にわたって平坦なパネル受部７が形成されている。パネル受部７は、水上側縁部から流れ方向における所定寸法の範囲内で、水上側縁部と平行に山部４の上部を削ぎ落とすとともに、谷部３の上部を埋めた形状をなしている。パネル受部７の水上側縁部には、一直線状に延びる水返し５が一般部用瓦と同じように立ち上げられるとともに、その近傍に２ヶ所程度の釘孔６が形成されている。
【００２４】
パネル受部７から山部４に連続する面には、その隅に雨水が溜まるのを防ぐために、図３及び図４に示すような上面視三角形状の分水嶺８が形成されている。また、パネル受部７から谷部３に連続する面９もなだらかに傾斜した弓形状をなしている。
【００２５】
図２の（３）に示した波形瓦１Ｃは、瓦型太陽電池パネル２の水上側に葺設される役物瓦である。この役物瓦の水下側縁部には、底辺が一直線状をなす垂面部１０が形成されている。垂面部１０は、山部４の水下側開口面を塞ぐようにして、山部４及び谷部３の水下側縁部から流れ方向と略直交する向きに延設されており、その底辺は、谷部３の最も低い中央部分の裏面とほぼ同じ高さに揃えられている。この役物瓦においても、谷部３の水上側縁部には一般部用瓦と同様の水返し５が立ち上げられ、その近傍に２ヶ所程度の釘孔６が形成されている。
【００２６】
これら一般部用瓦（波形瓦１Ａ）及び役物瓦（波形瓦１Ｂ、波形瓦１Ｃ）のいずれも、瓦全体の実質的な利き幅（働き幅）及び利き足（働き長さ）は共通で、谷部３及び山部４それぞれの幅方向における湾曲形状や流れ方向における傾斜形状も共通である。そして、従来一般のＦ形瓦と同様に、いずれのタイプも、水下側から水上側に向かって左側の縁部に数センチ幅のアンダーラップ部１１が張り出しており、右側の縁部には、前記アンダーラップ部１１に重なるオーバーラップ部１２が形成されている。
【００２７】
波形瓦１（１Ａ、１Ｂ、１Ｃ）と瓦型太陽電池パネル２は、屋根面の各段において、アンダーラップ部１１の向きに合わせて右側から左側へと順次、葺き重ねられる。波形瓦１Ａと瓦型太陽電池パネル２とが横方向に取り合う部位は、図５に示すように、波形瓦１Ａのアンダーラップ部１１の上に瓦型太陽電池パネル２の右枠材１３が載り、また、瓦型太陽電池パネル２の左枠材１４に延設された瓦受部１５の上に波形瓦１Ａのオーバーラップ部１２が載るようにして葺き重ねられる。
【００２８】
また、流れ方向については図４に示すように、瓦型太陽電池パネル２の水下側に葺設される役物瓦（波形瓦１Ｂ）のパネル受部７が、屋根下地上１６に配設した瓦桟１７に釘等で打ちつけられ、その上に瓦型太陽電池パネル２の水下側枠材１８が載り、さらに、瓦型太陽電池パネル２の水上側枠材１９の上に水上側の役物瓦（波形瓦１Ｃ）の垂面部１０が載るようにして葺き重ねられる。
【００２９】
こうして、四周が平坦な形状の瓦型太陽電池パネル２と、山谷起伏を有する波形瓦１（１Ａ、１Ｂ、１Ｃ）とが、互いの取り合い部分を水密的に封止した状態で一体的に葺設されることとなる。
【００３０】
図６に示した波形瓦１Ｄは、本発明の屋根葺き構造に用いられる波形瓦の構成例を示すものである。この波形瓦１Ｄは、前述した３種類の波形瓦１（１Ａ、１Ｂ、１Ｃ）の機能的特徴を一体化したものである。
【００３１】
すなわち、この波形瓦１Ｄは、ＪＩＳのＳ形に準じて、流れ方向の水下側から水上側に向かって左側に谷部３、右側に山部４がそれぞれ形成された左右非対称かつ非合同の断面形状を有している。
【００３２】
波形瓦１Ｄの水上側縁部には、瓦型太陽電池パネル２の水下側に葺設される役物瓦（波形瓦１Ｂ）と同様に、瓦の幅方向にわたって平坦なパネル受部７が形成されている。パネル受部７は、水上側縁部から流れ方向における所定寸法の範囲内で、水上側縁部と平行に山部４の上部を削ぎ落とすとともに、谷部３の上部を埋めた形状をなしている。パネル受部７の水上側縁部には、一直線状に延びる水返し５が立ち上げられるとともに、その近傍に２ヶ所程度の釘孔６が形成されている。パネル受部７から山部４に連続する面には、その隅に雨水が溜まるのを防ぐため、波形瓦１Ｂと同様の分水嶺（図示せず）が形成されている。また、パネル受部７から谷部３に連続する面９はなだらかに傾斜した弓形状をなしている。
【００３３】
波形瓦１Ｄの水下側縁部には、瓦型太陽電池パネル２の水上側に葺設される役物瓦（波形瓦１Ｃ）と同様に、底辺が一直線状をなす垂面部１０が形成されている。垂面部１０は、山部４の水下側開口面を塞ぐようにして、山部４及び谷部３の水下側縁部から流れ方向と略直交する向きに延設されており、その底辺は、谷部３の最も低い中央部分の裏面とほぼ同じ高さに揃えられている。
【００３４】
このような形状を有する波形瓦１Ｄは、瓦型太陽電池パネル２の水下側縁部及び水上側縁部のいずれにも葺設することができる。
【００３５】
波形瓦１Ｄと瓦型太陽電池パネル２とが横方向及び流れ方向に取り合う部位の断面は、図５及び図４に示した形態に準じる。すなわち、波形瓦１Ｄのアンダーラップ部１１の上に瓦型太陽電池パネル２の右枠材１３が載り、また、瓦型太陽電池パネル２の左枠材１４に延設された瓦受部１５の上に波形瓦１Ｄのオーバーラップ部１２が載る。また、流れ方向については、瓦型太陽電池パネル２の水下側に葺設される波形瓦１Ｄのパネル受部７が、屋根下地上１６に配設した瓦桟１７に釘等で打ちつけられ、その上に瓦型太陽電池パネル２の水下側枠材１８が載り、さらに、瓦型太陽電池パネル２の水上側枠材１９の上に水上側の波形瓦１Ｄの垂面部１０が載るようにして葺き重ねられる。
【００３６】
さらに、この波形瓦１Ｄは、それ自体の水上側縁部と水下側縁部とが平坦面同士で水密的に葺き重ね可能なので、瓦型太陽電池パネル２とは接しない一般部にも葺設することができる。つまり、この１種類の波形瓦１Ｄだけで、瓦型太陽電池パネル２が葺設される部分以外の屋根面略全体（棟際や隅谷などの特殊部位を除く）を葺き上げることが可能である。したがって、瓦型太陽電池パネル２との位置関係に応じて３種類の波形瓦１（１Ａ、１Ｂ、１Ｃ）を使い分ける前述の実施形態に比べて、施工性が各段に向上する。
【００３７】
図７は、本発明の実施形態に係る屋根葺き構造の一例を示す瓦割付け図である。また、図８は、この屋根葺き構造において、図６に示した波形瓦１Ｄと併用される他の波形瓦１Ｅの構成例を示す斜視図である。
【００３８】
例示形態にあっては、２種類の波形瓦１（１Ｄ、１Ｅ）と、波形瓦１を横方向に４枚分並べた大きさの平坦な瓦型太陽電池パネル２とが、葺き重ね部（目地）の位置を一段ごとに瓦幅の半分だけずらせて葺設されている。このように、隣り合う屋根葺き材同士の葺き重ね部を互い違いにずらす葺き方を、本明細書においては「千鳥葺き」と呼ぶ。
【００３９】
千鳥葺きは、一般論としては、筋葺きよりも防水性（排水性）や耐風性の面で有利であるとされている。しかし、前述のように大きい山谷起伏が設けられた左右非対称かつ非合同の断面形状を有する波形瓦１を千鳥葺きしようとすると、当然ながら山谷起伏の流れ方向における連続性が互い違いにずれてしまう。そこで、本実施形態では、そのような形状の波形瓦の千鳥葺きを可能にするために、図６に示した波形瓦１Ｄと、図８に示す波形瓦１Ｅとを併用する。
【００４０】
波形瓦１Ｅは、図６に示した波形瓦１Ｄとは反対に、流れ方向の水下側から水上側に向かって左側に山部４、右側に谷部３が設けられている。本発明においては、この形状の違いを区別するために、図６の波形瓦１Ｄを「谷山タイプ」と呼び、図８の波形瓦１Ｅを「山谷タイプ」と呼ぶ。詳細にいえば、両者の形状は、幅方向の断面を全体的に左右反転させた形状ではなく、幅方向における略中間部で谷部３と山部４との境目を分割し、それらの位置関係を左右入れ替えた形状になっている。
【００４１】
山谷タイプの波形瓦１Ｅの水上側縁部には、谷山タイプの波形瓦１Ｄと同様に、瓦の幅方向にわたって平坦なパネル受部７が形成されている。パネル受部７は、水上側縁部から流れ方向における所定寸法の範囲内で、水上側縁部と平行に山部４の上部を削ぎ落とすとともに、谷部３の上部を埋めた形状をなしている。パネル受部７の水上側縁部には、一直線状に延びる水返し５が立ち上げられるとともに、その近傍に２ヶ所程度の釘孔６が形成されている。パネル受部７から山部４に連続する面には、その隅に雨水が溜まるのを防ぐため、波形瓦１Ｂと同様の分水嶺（図示せず）が形成されている。また、パネル受部７から谷部３に連続する面９はなだらかに傾斜した弓形状をなしている。
【００４２】
山谷タイプの波形瓦１Ｅの水下側縁部には、谷山タイプの波形瓦１Ｄと同様に、底辺が一直線状をなす垂面部１０が形成されている。垂面部１０は、山部４の水下側開口面を塞ぐようにして、山部４及び谷部３の水下側縁部から流れ方向と略直交する向きに延設されており、その底辺は、谷部３の最も低い中央部分の裏面とほぼ同じ高さに揃えられている。
【００４３】
谷山タイプの波形瓦１Ｄ、及び山谷タイプの波形瓦１Ｅいずれも、瓦全体の実質的な利き幅（働き幅）及び利き足（働き長さ）は共通で、谷部３、山部４それぞれの幅方向における湾曲形状や流れ方向における傾斜形状も共通である。そして、両タイプとも、水下側から水上側に向かって左側の縁部に数センチ幅のアンダーラップ部１１が張り出しており、右側の縁部には、前記アンダーラップ部１１に重なるオーバーラップ部１２が形成されている。
【００４４】
これら２タイプの波形瓦１（１Ｄ、１Ｅ）は、図７に示すように、屋根面の一段ごとに葺き分けられる。つまり、あるひとつの段には、谷山タイプの波形瓦１Ｄ、山谷タイプの波形瓦１Ｅのうちいずれか一方が、当該段の屋根幅の略全体にわたって同じ向きで葺き重ねられる。そして、その１段上の段には、前記下段とは異なるタイプの波形瓦１が、下段とは葺き重ね位置を瓦幅の略半分ずらして葺き重ねられる。図７においても、山谷の並びを分かりやすくするために、各波形瓦１（１Ｄ、１Ｅ）の山部４の位置に薄網を付している。（図７では山部４を長方形で表しているが、実際の各山部４は水下側に向かってやや拡幅する扇形になる。）どの段においても横方向の葺き重ね順は共通で、例示形態の場合はアンダーラップ部１１及びオーバーラップ部１２の向きに合わせて、各波形瓦１（１Ｄ、１Ｅ）及び瓦型太陽電池パネル２が右側から左側へと葺き重ねられる。
【００４５】
図８は、各段における波形瓦１（１Ｄ、１Ｅ）の横方向の葺き重ね部分の概略断面である。Ｄ−Ｄ断面は谷山タイプの波形瓦１Ｄの葺き重ね部分、Ｅ−Ｅ断面は山谷タイプの波形瓦１Ｅの葺き重ね部分をそれぞれ示している。これらの図から把握されるように、一段ごとに葺き重ね部分の位置が千鳥状にずれていても、屋根面全体としては波形瓦１（１Ｄ、１Ｅ）の山部４及び谷部３が、それぞれ流れ方向に揃うこととなる。
【００４６】
波形瓦１（１Ｄ、１Ｅ）と瓦型太陽電池パネル２とが横方向及び流れ方向に取り合う部位の断面は、図５及び図４に示した形態に準じる。すなわち、波形瓦１（１Ｄ、１Ｅ）のアンダーラップ部１１の上に瓦型太陽電池パネル２の右枠材１３が載り、また、瓦型太陽電池パネル２の左枠材１４に延設された瓦受部１５の上に波形瓦１（１Ｄ、１Ｅ）のオーバーラップ部１２が載る。また、流れ方向については、瓦型太陽電池パネル２の水下側に葺設される波形瓦１（１Ｄ、１Ｅ）のパネル受部７の上に瓦型太陽電池パネル２の水下側枠材１８が載り、さらに、瓦型太陽電池パネル２の水上側枠材１９の上に水上側の波形瓦１（１Ｄ、１Ｅ）の垂面部１０が載るようにして葺き重ねられる。こうして、四周が平坦な形状の瓦型太陽電池パネル２と、左右非対称かつ非合同の山谷起伏を有する波形瓦１（１Ｄ、１Ｅ）とが、互いの取り合い部分を水密的に封止した状態で、千鳥葺きされることとなる。
【００４７】
なお、図示は省略するが、Ｊ形瓦その他の左右非対称かつ非合同の山谷形状を有する波形瓦についても、例示したＳ形の波形瓦１（１Ａ、１Ｂ、１Ｃ、１Ｄ、１Ｅ）に準じて、瓦型太陽電池パネル２との一体葺きを実現することができる。波形瓦における谷部の表面は、必ずしも凹状に湾曲していなくてもよい。谷部に相当する片側部分が山部に相当する他側部分よりも明確に低くなっておりさえすれば、例えば谷部が略平坦面や緩い片傾斜面等であってもよい。
【００４８】
瓦型太陽電池パネル２の四周を囲む枠材の詳細な断面形状は、波形瓦の形状や寸法に応じて適宜、設計されればよい。波形瓦のアンダーラップ部及びオーバーラップ部の詳細な形状についても、波形瓦自体の本体形状や瓦型太陽電池パネルとの取り合いに応じて適宜、改変可能である。
【符号の説明】
【００４９】
１（１Ａ、１Ｂ、１Ｃ、１Ｄ、１Ｅ）  波形瓦
２  瓦型太陽電池パネル
３  谷部
４  山部
７  パネル受部
１０  垂面部
１１  アンダーラップ部
１２  オーバーラップ部
【図２】
0005780164.tif 000002
【図３】
0005780164.tif 000003
【図４】
0005780164.tif 000004
【図５】
0005780164.tif 000005
【図６】
0005780164.tif 000006
【図８】
0005780164.tif 000007
【図９】
0005780164.tif 000008
【図１】
0005780164.tif 000009
【図７】
0005780164.tif 000010